(57)【要約】【課題】録画時または録画予約時における番組の分類の設定操作の軽減を図った録画装置および録画方法を提供する。【解決手段】実施形態の録画装置は，ユーザ登録部，入力部，動作モード設定部，関連付け部，録画部，表示制御部，を具備する。ユーザ登録部は，ユーザを登録する。入力部は，ユーザを特定するためのユーザ特定情報を入力する。動作モード設定部は，前記ユーザ特定情報に基づいて，前記登録されるユーザからユーザを特定し，このユーザに対応する動作モードを設定する。関連付け部は，前記録画または録画予約される番組と，前記設定された動作モードに対応するユーザとを関連付ける。録画部は，番組を録画または録画予約する。表示制御部は，前記録画または録画予約された番組のリストを表示装置に表示させる。【選択図】図２
2012231424.tif 000002
【特許請求の範囲】
【請求項１】
ユーザを登録するユーザ登録部と，
ユーザを特定するためのユーザ特定情報を入力する入力部と，
前記ユーザ特定情報に基づいて，前記登録されるユーザからユーザを特定し，このユーザに対応する動作モードを設定する動作モード設定部と，
番組を録画または録画予約する録画部と，
前記録画または録画予約される番組と，前記設定された動作モードに対応するユーザとを関連付ける関連付け部と，
前記録画または録画予約された番組のリストを表示装置に表示させる表示制御部と，
を具備する録画装置。
【請求項２】
前記関連付け部が，前記設定された動作モードに対応するユーザと，番組との関連付けを表すメニューを前記表示装置に表示させる
請求項１記載の録画装置。
【請求項３】
前記メニューを用いて，ユーザと，番組との関連付けを変更できる
請求項２記載の録画装置。
【請求項４】
前記表示制御部が，前記ユーザ登録部に登録された複数のユーザそれぞれに関連付けられた番組の，複数のリストのいずれかを切り替え可能に表示させる，
請求項１乃至３のいずれか１項に記載の録画装置。
【請求項５】
前記表示制御部が，前記ユーザ登録部に登録された複数のユーザそれぞれに対応するボタンを表示させ，
前記ボタンを用いた入力により，前記複数のリストを切り替えて表示させる
請求項１乃至４のいずれか１項に記載の録画装置。
【請求項６】
前記表示制御部が，前記設定された動作モードと対応しないユーザに関連付けられた番組のリストの表示を制限する
をさらに具備する請求項１乃至５のいずれか１項に記載の録画装置。
【請求項７】
前記設定されたユーザモードに対応して，音量，画質，チャンネルリストの少なくともいずれかが設定される
請求項１乃至６のいずれか１項に記載の録画装置。
【請求項８】
前記ユーザ特定情報が，ユーザの顔の画像，または文字，記号の組み合わせである
請求項１乃至７のいずれか１項に記載の録画装置。
【請求項９】
ユーザを登録するステップと，
ユーザを特定するためのユーザ特定情報を入力するステップと，
前記ユーザ特定情報に基づいて，前記登録されるユーザからユーザを特定し，このユーザに対応する動作モードを設定するステップと，
前記設定された動作モードに対応するユーザと，録画または録画予約される番組とを関連付けるステップと，
前記関連付けられた番組を録画または録画予約するステップと，
前記録画または録画予約された番組のリストを表示装置に表示させるステップと，
を具備する録画方法。
【発明の詳細な説明】
【技術分野】
【０００１】
本発明の実施形態は，録画装置および録画方法に関する。
【背景技術】
【０００２】
近年のテレビジョン受信装置には，録画機能を搭載しているものがある。ここで，録画時，録画予約時において，番組の分類を設定し，録画番組を分類表示する場合がある。
しかしながら，録画時または録画予約時において，番組の分類を設定するのは，ユーザの入力操作が煩雑となる。
【先行技術文献】
【特許文献】
【０００３】
【特許文献１】特開２００８−１９８３５１号公報
【発明の概要】
【発明が解決しようとする課題】
【０００４】
本発明は，録画時または録画予約時における番組の分類の設定操作の軽減を図った録画装置および録画方法を提供することを目的とする。
【課題を解決するための手段】
【０００５】
実施形態の録画装置は，ユーザ登録部，入力部，動作モード設定部，関連付け部，録画部，表示制御部，を具備する。ユーザ登録部は，ユーザを登録する。入力部は，ユーザを特定するためのユーザ特定情報を入力する。動作モード設定部は，前記ユーザ特定情報に基づいて，前記登録されるユーザからユーザを特定し，このユーザに対応する動作モードを設定する。関連付け部は，録画または録画予約される番組と，前記設定された動作モードに対応するユーザとを関連付ける。録画部は，番組を録画または録画予約する。表示制御部は，録画または録画予約された番組のリストを表示装置に表示させる。
【図面の簡単な説明】
【０００６】
【図１】一実施形態に係るテレビジョン受信装置１０を表すブロック図である。
【図２】テレビジョン受信装置１０の動作手順を表すフロー図である。
【図３】録画予約メニューの一例を表す図である。
【図４】録画予約リストの一例を表す図である。
【図５】録画リストの一例を表す図である。
【発明を実施するための形態】
【０００７】
以下，本発明を実施するための形態を図面に基づき説明する。図１は，一実施形態に係るテレビジョン受信装置１０の構成を示す機能ブロック図である。テレビジョン受信装置１０は，図１に示すように，デジタルテレビジョン放送受信装置である。このテレビジョン受信装置（以下「ＤＴＶ装置」と記述）１０は，例えば液晶表示パネルなどの平面パネル型の映像表示器１２，スピーカ１４，操作部１５，及びリモートコントローラ１６から送信される操作情報を受ける受光部１８が，キャビネットに設けられている。映像表示器１２は，表示素子が光源からの光の供給を受けて表示を行うタイプの表示装置であり，バックライト１２ａやこのバックライト１２ａを駆動するドライバ回路１２ｂなどを備えている。
【０００８】
このＤＴＶ装置１０は，第１のＬＡＮ（Local Area Network）端子２１，第２のＬＡＮ端子２２，ＵＳＢ（Universal Serial Bus）端子２３及びｉ．ＬＩＮＫ（登録商標）端子２４を備える。このうち，第１のＬＡＮ端子２１は，ＬＡＮ対応ＨＤＤ（Hard Disk Drive）専用ポートとして用いられる。即ち，第１のＬＡＮ端子２１は，接続されたＮＡＳ（Network Attached Storage）であるＬＡＮ対応のＨＤＤに対し，イーサネット（登録商標）により情報の記録再生をするために使用される。
【０００９】
ＵＳＢ端子２３は，一般的なＵＳＢ対応ポートとして用いられ，例えばハブを介して，携帯電話，デジタルカメラ，メモリカードに対するカードリーダ／ライタ，ＨＤＤ，キーボードなどのＵＳＢ機器を接続し，これらのＵＳＢ機器と情報伝送を行なうために使用される。ｉ．ＬＩＮＫ（登録商標）端子２４は，例えばＡＶ−ＨＤＤ，Ｄ（Digital）−ＶＨＳ（Video Home System）などをシリアル接続し，これらの機器と情報を伝送するために使用される。
【００１０】
ここで，本実施形態のＤＴＶ装置１０は，ＢＳ／ＣＳ／地上デジタル放送などを受信可能である。また，ＤＴＶ装置１０は，映像データと，音声データ（及びテキスト情報）とが多重化された放送波が，図１に示すように，アンテナ２５，２６を介して受信される。
【００１１】
具体的には，図１に示すように，ＤＴＶ装置１０では，ＢＳ／ＣＳデジタル放送受信用のアンテナ２５で受信した衛星デジタルテレビジョン放送信号は，入力端子２７を介して衛星デジタル放送用のチューナ２７ａに供給される。チューナ２７ａは，コントローラ３０からの制御信号により所望のチャンネルの放送信号を選局し，この選局された放送信号をＰＳＫ（Phase Shift Keying）復調器２７ｂに出力する。
【００１２】
ＰＳＫ復調器２７ｂは，コントローラ３０からの制御信号により，チューナ２７ａで選局された放送信号を復調し，所望の番組を含んだトランスポートストリームを得て，ＴＳ復号器２７ｃに出力する。ＴＳ復号器２７ｃは，コントローラ３０からの制御信号を基づき，トランスポートストリーム（ＴＳ）で多重化された信号のＴＳ復号処理を行い，所望の番組のデジタルの映像信号及び音声信号をデパケットすることで得たＰＥＳ（Packetized Elementary Stream）を信号処理部３１内のＳＴＤバッファへ出力する。さらに，ＴＳ復号器２７ｃは，デジタル放送により送られているセクション情報を信号処理部３１へ出力する。
【００１３】
一方，地上波放送受信用のアンテナ２６で受信した地上デジタルテレビジョン放送信号は，入力端子２８を介して地上デジタル放送用のチューナ２８ａに供給される。チューナ２８ａは，コントローラ３０からの制御信号により所望のチャンネルの放送信号を選局し，この選局された放送信号をＯＦＤＭ（Orthogonal Frequency Division Multiplexing）復調器２８ｂに出力する。ＯＦＤＭ復調器２８ｂは，コントローラ３０からの制御信号により，チューナ２８ａで選局された放送信号を復調し，所望の番組を含んだトランスポートストリームを得て，ＴＳ復号器２８ｃに出力する。
【００１４】
ＴＳ復号器２８ｃは，コントローラ３０からの制御信号に基づき，トランスポートストリーム（ＴＳ）で多重化された信号のＴＳ復号処理を行い，所望の番組のデジタルの映像信号及び音声信号をデパケットすることにより得たＰＥＳを信号処理部３１内のＳＴＤバッファへ出力する。また，ＴＳ復号器２８ｃは，デジタル放送により送られているセクション情報を信号処理部３１へ出力する。また，アナログ復調器２８ｅは，チューナ２８ｄで選局されたアナログの放送信号を復調し，信号処理部３１に出力する。さらに，ＰＳＫ復調器２７ｂ又はＯＦＤＭ復調器２８ｂは，チューナ２７ａ又はチューナ２８ａで選局された映像の放送波を復調する。さらに，ＴＳ復号器２７ｃ又はＴＳ復号器２８ｃは，復調された映像のストリームをデコードして信号処理部３１に出力する。
【００１５】
ここで，上記信号処理部３１は，テレビ視聴時には，ＴＳ復号器２７ｃ及びＴＳ復号器２８ｃからそれぞれ供給されたデジタルの映像信号及び音声信号に対して，選択的に所定のデジタル信号処理を施し，グラフィック処理部３２及び音声処理部３３に出力する。また，信号処理部３１は，テレビジョン放送以外のコンテンツの再生時には，コントローラ３０から入力されたコンテンツの再生信号を選択し，所定のデジタル信号処理を施し，グラフィック処理部３２及び音声処理部３３に出力する。
【００１６】
また，信号処理部３１は，ＴＳ復号器２７ｃ（２８ｃ）から入力されたセクション情報の中から，番組を取得するための各種データや電子番組ガイド（ＥＰＧ）情報，番組属性情報（番組ジャンル等），字幕情報（サービス情報，ＳＩやＰＳＩ）をコントローラ３０へ出力する。ＲＯＭ３０ａ，ＲＡＭ３０ｂ，不揮発性メモリ３０ｃなどを備えるコントローラ３０は，これら入力された情報からＥＰＧ，字幕を表示するため画像生成処理を行い，この生成した画像情報をグラフィック処理部３２へ出力する。
【００１７】
グラフィック処理部３２は，信号処理部３１内のＡＶデコーダから供給されるデジタルの映像信号と，ＯＳＤ（On Screen Display）信号生成部３４で生成されるＯＳＤ信号と，データ放送による画像データと，コントローラ３０により生成されたＥＰＧ，字幕信号とを合成して映像処理部３５へ出力する。また，字幕放送による字幕を表示するとき，グラフィック処理部３２は，コントローラ３０からの制御に基づき，映像信号上に字幕情報を重畳する。
【００１８】
グラフィック処理部３２から出力されたデジタルの映像信号は，映像処理部３５に供給される。映像処理部３５は，入力されたデジタルの映像信号を，映像表示器１２で表示可能なフォーマットのアナログ映像信号に変換する。その後，映像処理部３５は，アナログ映像信号を映像表示器１２に出力して映像表示させると共に，映像出力端子３８を介して，外部に導出させる。また，音声処理部３３は，入力されたデジタルの音声信号を，スピーカ１４で再生可能なフォーマットのアナログ音声信号に変換する。その後，音声処理部３３は，アナログ音声信号をスピーカ１４に出力して音声を再生させると共に，音声出力端子３７を介して，外部に導出させる。
【００１９】
ここで，このＤＴＶ装置１０は，上記した各種の受信動作を含むその全ての動作がコントローラ３０によって統括的に制御されている。このコントローラ３０は，ＣＰＵ（Central Processing Unit）などを内蔵している。コントローラ３０は，操作部１５からの操作情報を受け，又はリモートコントローラ１６から送出された操作情報を，受光部１８を介して受信する。また，コントローラ３０は，受信した操作情報の内容が反映されるように各部をそれぞれ制御する。コントローラ３０は，主として，そのＣＰＵが実行する制御プログラムを格納したＲＯＭ（Read Only Memory）３０ａと，ＣＰＵに作業エリアを提供するＲＡＭ（Random Access Memory）３０ｂと，各種の設定情報及び制御情報などが格納される不揮発性メモリ３０ｃとを利用する。
【００２０】
不揮発性メモリ３０ｃには，ユーザを特定するユーザ特定情報（例えば，顔画像，ユーザＩＤコード（例えば，文字，記号等の組み合わせ））が登録される。即ち，不揮発性メモリ３０ｃユーザを登録するユーザ登録部として機能する。
【００２１】
操作部１５，受光部１８，および図示しない撮像部は，ユーザを特定するためのユーザ特定情報を入力する。
【００２２】
コントローラ３０は，ユーザ特定情報に基づいて，前記登録されるユーザからユーザを特定し，このユーザに対応する動作モードを設定する。コントローラ３０は，録画または録画予約される番組と，前記設定された動作モードに対応するユーザとを関連付ける。コントローラ３０は，番組を録画または録画予約する。即ち，録画または録画予約時において，ユーザ識別子を入力しなくても，録画とユーザの関連付けが可能である。コントローラ３０は，録画または録画予約された番組のリストを映像表示器１２（表示装置）に表示させる。
【００２３】
（テレビジョン受信装置１０の動作）
以下，テレビジョン受信装置１０の動作を説明する。図２は，テレビジョン受信装置１０の動作手順を表すフロー図である。
【００２４】
（１）ユーザの登録（ステップＳ１１）
ＤＴＶ装置１０のユーザを登録する。複数のユーザ，例えば，ユーザＡ〜Ｄを登録できる。このために，例えば，ユーザＡ〜Ｄと対応し，ユーザを特定するための情報（ユーザ特定情報）を登録する。ユーザ特定情報として，例えば，ユーザの顔画像，ユーザＩＤコードを用いることができる。例えば，ＤＴＶ装置１０に撮像装置を取り付けることで，ユーザの顔画像の入力が可能となる。ユーザＩＤコードは，操作部１５またはリモートコントローラ１６を用いて入力できる。
【００２５】
ここで，登録されるユーザ特定情報そのものを入力することができる。但し，登録されるユーザ特定情報そのものを入力しないことも可能である。例えば，ユーザの顔画像を入力し，このユーザの顔画像から特徴点（特徴情報）を抽出し，登録しても良い。
【００２６】
ユーザＡ〜Ｄに対応して，ユーザ設定情報（ユーザ毎の設定情報，例えば，音量，画質，チャンネルリスト）を登録できる。音量は，音声の大きさである。画質は，例えば，色の濃さ，色合い，シャープネス（鮮明さ）である。チャンネルリストは，ユーザが好んで使うチャンネルのリストである。全体のチャンネル数が多い場合に，一部のチャンネルを選択し，登録することで，各ユーザによるチャンネルの選択が容易となる。
【００２７】
この結果，ユーザＡ〜Ｄに対応して，ユーザ特定情報（ユーザの顔画像等），ユーザ設定情報，が不揮発性メモリ３０ｃに記憶される。ユーザの登録は，一種の初期設定であり，ＤＴＶ装置１０が停止しても保持される。
【００２８】
ＤＴＶ装置１０は，登録されたユーザと対応する動作モードで動作する。即ち，例えば，ユーザＡ〜Ｄを登録すると，ＤＴＶ装置１０は，これらのユーザＡ〜Ｄそれぞれに対応する動作モードＡ〜Ｄのいずれかで動作できる。音量，画質等を動作モードＡ〜Ｄ毎（ユーザＡ〜Ｄ毎）に設定，切り替えることができる。
【００２９】
ここで，ユーザの登録時に，ユーザＡ〜Ｄそれぞれの情報を他のユーザＡ〜Ｄから保護するための保護情報（パスワード等）を設定できる。後述のように，ユーザＡ〜Ｄそれぞれの録画予約リスト，録画リストを他のユーザＡ〜Ｄから保護できる。保護情報として，例えば，文字，記号の組み合わせを用いることができる。
【００３０】
（２）ユーザ特定情報の入力（ステップＳ１２）
動作モードを切り替えるために，ユーザ特定情報が入力される。ここで，入力されるユーザ特定情報は，登録されるユーザ特定情報と対応する情報である。登録されたユーザ特定情報がユーザの顔画像の場合，例えば，ＤＴＶ装置１０に取り付けられた撮像装置によって，ユーザ特定情報たる顔画像が入力される。また，登録されたユーザ特定情報がユーザＩＤコードの場合，操作部１５またはリモートコントローラ１６を用いて，ユーザ特定情報たるユーザＩＤコードが入力される。
【００３１】
但し，入力されるユーザ特定情報と，登録されるユーザ特定情報は，必ずしも同種の情報で無くても良い。例えば，ユーザの顔画像の特徴点が登録されている場合，顔画像を入力することで，ユーザの特定が可能となる。
【００３２】
ここで，ユーザ特定情報の入力は，ユーザの入力操作を要しない自動入力とすることができる。例えば，撮像装置によって，画像を周期的に入力し，入力される画像に顔が含まれているか否かを周期的に判断する。入力された画像に顔が含まれていた場合，ユーザ特定情報たる顔画像が入力されたと判断する。例えば，ＤＴＶ装置１０を視聴するユーザが追加，変更されることで，新たな顔画像が検出される。
【００３３】
（３）ユーザの特定（ステップＳ１３）
入力されたユーザ特定情報と対応するユーザが特定される。即ち，入力されたユーザ特定情報が，登録されたユーザ特定情報の何れと対応するかが判断される。例えば，入力されたユーザ特定情報がユーザＢに対応すると判断される。例えば，ステップＳ１２で入力された顔画像がユーザ特定情報で登録された顔画像（または特徴情報）と比較され，類似度が算出される。この内，最大の類似度を有する，登録されたユーザ特定情報に対応するユーザＡ〜Ｄを特定する。
【００３４】
但し，ステップＳ１２で入力された顔画像が登録されたユーザＡ〜Ｄのいずれとも対応しない可能性がある。このため，これらの類似度が所定値以上であることをも，条件とすることが好ましい。これらの類似度のいずれもが所定値より小さい場合，入力された顔画像はユーザＡ〜Ｄのいずれとも対応しないと判断される。
【００３５】
（４）動作モードの切り替え（ステップＳ１４，Ｓ１５）
特定されたユーザＡ〜Ｄと現在の動作モードＡ〜Ｄが対応するかが判断され（ステップＳ１４），特定されたユーザＡ〜Ｄと現在の動作モードＡ〜Ｄが対応しない場合に動作モードが切り替えられる。即ち，特定されたユーザに対応する動作モードが設定される。例えば，動作モードＡで動作していた場合，特定されたユーザがユーザＢであれば，ユーザＢに対応する動作モードＢでＤＴＶ装置１０が動作するようになる。なお，動作モードを識別する識別情報をＲＡＭ３０ｂ等に記憶させておき，これを変更することで，現在の動作モードを判別できる。
【００３６】
動作モードの切り替えによって，特定されたユーザ（ユーザＢ）が設定した状態に，ＤＴＶ装置１０の状態が設定される。例えば，音量，画質，チャンネルリストがユーザＢのユーザ設定情報に変更される。動作モードの切り替えは，後述の録画予約時，録画予約リスト，録画リストの表示時にも反映される。
【００３７】
（５）録画予約（ステップＳ２１）
録画予約を行う。例えば，電子番組ガイド（ＥＰＧ）を用いて，録画予約する番組を選択し，リモートコントローラ１６を用いて録画予約する。電子番組ガイドから番組を選択し，操作部１５，リモートコントローラ１６を用いて，録画予約の入力をする。このとき，図３のような録画予約メニューが表示される。フレームＦ１１〜Ｆ１３は，番組のタイトル，番組特定情報（放送局，放送日時），個人グループを表す。
【００３８】
ここでは，フレームＦ１１，Ｆ１２に示されるように，Ｋ放送局，４／１（月）ＡＭ９：００〜１０：００の「ＡＢＣドラマ」が選択されている。
【００３９】
フレームＦ１３の個人グループは，録画番組と関連付けられるユーザを表し，ユーザＡ〜Ｄ，Ｎｏｎｅに区分できる。個人グループの設定がユーザＢであれば，録画番組はユーザＢと関連付け，分類される。そして，ユーザＢに保護情報が設定されていれば，後述のように，ユーザＢのみがこの番組を録画予約リスト，録画リスト中に表示し，再生できる。
「Ｎｏｎｅ」は，ユーザＡ〜Ｄのいずれにも分類されない。この「Ｎｏｎｅ」は，ユーザＡ〜Ｄのいずれでも利用可能な共有の録画設定として利用できる。即ち，「Ｎｏｎｅ」で分類された録画は，ユーザＡ〜Ｄのいずれでも確認，視聴が可能である。
【００４０】
後述のように，録画番組は，この個人グループで表されるユーザと関連付け，分類される。ここでは，動作モードが動作モードＢであることと対応して，フレームＦ１３に「ユーザＢ」が表されている。即ち，フレームＦ１３への「ユーザＢ」の入力が不要である。このように，図３の録画予約メニューは，設定された動作モードに対応するユーザと，番組との関連付けを表す。
【００４１】
フレームＦ１３での個人グループの設定をユーザＢからユーザＡ，Ｃ，Ｄに変更することができる。操作部１５またはリモートコントローラ１６を用いて，フレームＦ１３での個人グループの設定を変更する。即ち，録画予約メニューを用いて，ユーザと，番組との関連付けを変更できる。
【００４２】
なお，ユーザＣに保護情報が設定されている場合，後述の録画予約リストのように，個人グループの設定をユーザＢからユーザＣに変更するに際し，保護情報等の入力を条件とし，ユーザＣでの設定状態を保護することができる。
【００４３】
番組を選択し，個人グループを設定し，操作部１５またはリモートコントローラ１６を用いて，ボタンＢ１１またはＢ１２を選択することで，録画予約が終了する。ボタンＢ１１は，選択された番組自体の録画予約のためのものである。ボタンＢ１２は，選択された番組自体が定期的に放送される場合に対応する録画予約のためのものである（毎予約）。
【００４４】
（６）録画予約リストの表示（ステップＳ２２）
録画予約リスト（録画予約した番組のリスト）を表示できる。
図４は，録画予約リストの一例を表す図である。録画予約リストは，ユーザ切り替え欄Ｆ２１，リスト表示欄Ｆ２２に区分できる。
【００４５】
リスト表示欄Ｆ２２は，ユーザ毎に登録された録画予約リストを表示する欄である。即ち，登録されたユーザの何れかに関連付けられた（分類された）録画予約番組のリストを表示する。ここでは，ユーザＢに関連付けられた録画予約のリストを表示している。なお，個人グループの設定が「Ｎｏｎｅ」の録画予約は，どのユーザＡ〜Ｄでも表すことができる。
【００４６】
ユーザ切り替え欄Ｆ２１は，リスト表示欄Ｆ２２に表示されるリストを切り替え表示するためのボタンを表す。ボタンＢ２１〜Ｂ２４は，それぞれユーザＡ〜Ｄに対応する。リモートコントローラ１６を用いて，ボタンＢ２１〜Ｂ２４のいずれかを選択することで，リスト表示欄Ｆ２１に表示されるリストを切り替えることができる。
【００４７】
ボタンＢ２１〜Ｂ２４録画予約リストを最初に表示するときには，そのときの動作モードに対応するユーザの録画予約のリストが表示される。
【００４８】
その後，操作部１５，リモートコントローラ１６を用いて，ボタンＢ２１〜Ｂ２４のいずれかを選択することで，リスト表示欄Ｆ２１に表示されるリストを切り替えることができる。例えば，図４のボタンＢ２３を選択することで，リスト表示欄Ｆ２１で表示される録画予約リストがユーザＣに関連付けられた録画予約番組のリストに切り替え表示される。
【００４９】
ここで，動作モードと対応しないユーザへの切り替え表示を制限しても良い。制限の手法として，保護情報（パスワード等）の入力を条件とすることが考えられる。例えば，動作モードＢのときに，ボタンＢ２３を選択して，ユーザＣの録画予約番組のリストを表示させることを考える。このとき，ボタンＢ２３を選択することで，保護情報の入力を要求する表示が現れ，保護情報を入力することで，リスト表示欄Ｆ２１の表示が切り替えられる。
【００５０】
また，動作モードと対応しないユーザへの切り替え表示を一切認めないことも考えられる。
【００５１】
動作モードと対応しないユーザへの切り替え表示を制限する場合，リスト表示欄Ｆ２１の表示を次のａ），ｂ）のようにしても良い。
ａ）動作モードと対応しないユーザに対応するボタンＢ２１〜Ｂ２４を表示しない。例えば，動作モードＢのとき，図４において，ボタンＢ２１，Ｂ２３，Ｂ２４を表示しない。
【００５２】
ｂ）動作モードと対応するユーザのボタンＢ２１〜Ｂ２４と，動作モードと対応しないユーザのボタンＢ２１〜Ｂ２４を異ならせて表示する。例えば，動作モードＢのとき，図４において，ボタンＢ２１，Ｂ２３，Ｂ２４をグレイ表示する。
【００５３】
（７）録画（ステップＳ２３）
録画予約リストに従い，番組が録画され，第１のＬＡＮ端子２１，第２のＬＡＮ端子２２，ＵＳＢ端子２３等に接続されたＨＤＤに保持される。ここで，録画される番組は，録画予約時に設定された個人グループに分類されて，ＨＤＤに録画される。例えば，録画番組のファイルがユーザＡ〜Ｄに区分され，異なるフォルダに保存される。また，個人グループが「Ｎｏｎｅ」の録画は，ユーザＡ〜Ｄとは異なるフォルダに保存される。
【００５４】
（８）録画リストの表示（ステップＳ２４）
録画リスト（録画した番組のリスト）を表示できる。
図５は，録画リストの一例を表す図である。録画予約リストは，ユーザ切り替え欄Ｆ３１，リスト表示欄Ｆ３２に区分できる。
リスト表示欄Ｆ３２は，ユーザ毎に登録された録画リストを表示する欄である。即ち，登録されたユーザの何れかに関連付けられた（分類された）録画番組のリストを表示する。ここでは，ユーザＢに関連付けられた録画番組のリストを表示している。なお，個人グループの設定が「Ｎｏｎｅ」の録画番組は，どのユーザＡ〜Ｄでも表すことができる。
【００５５】
ユーザ切り替え欄Ｆ３１は，リスト表示欄Ｆ３２に表示されるリストを切り替え表示するためのボタンを表す。ボタンＢ３１〜Ｂ３４は，それぞれユーザＡ〜Ｄに対応する。リモートコントローラ１６を用いて，ボタンＢ３１〜Ｂ３４のいずれかを選択することで，リスト表示欄Ｆ３１に表示されるリストを切り替えることができる。
【００５６】
ａ．ボタンＢ３１〜Ｂ３４録画予約リストを最初に表示するときには，そのときの動作モードに対応するユーザの録画番組のリストが表示される。
【００５７】
ｂ．操作部１５またはリモートコントローラ１６を用いて，を用いて，ボタンＢ３１〜Ｂ３４のいずれかを選択することで，リスト表示欄Ｆ３１に表示されるリストを切り替えることができる。
【００５８】
ここで，録画予約リストと同様に，動作モードと対応しないユーザへの切り替え表示を制限しても良い。制限の手法として，パスワード等の入力を条件とすることが考えられる。また，動作モードと対応しないユーザへの切り替え表示を一切認めないことも考えられる。
【００５９】
（９）再生（ステップＳ２５）
録画リストから選択された録画番組が適宜に再生，視聴される。
【００６０】
以上では，録画予約の場合を説明したが，視聴している番組そのものを録画する場合（録画）でも事情はほぼ同様である。即ち，操作部１５またはリモートコントローラ１６を用いて，視聴中の番組を録画しようとする場合，図３と対応する設定メニューが表示される。このとき，個人グループの設定は，その動作モードＡ〜Ｄと対応するユーザＡ〜Ｄに自動的に設定される。そして，必要に応じて，個人グループの設定を変更できる。また，録画予約の場合と同様，録画リストの表示，表示切り替えが可能である。
【００６１】
本発明のいくつかの実施形態を説明したが，これらの実施形態は，例として提示したものであり，発明の範囲を限定することは意図していない。これら新規な実施形態は，その他の様々な形態で実施されることが可能であり，発明の要旨を逸脱しない範囲で，種々の省略，置き換え，変更を行うことができる。これら実施形態やその変形は，発明の範囲や要旨に含まれるとともに，特許請求の範囲に記載された発明とその均等の範囲に含まれる。
【符号の説明】
【００６２】
１０…テレビジョン受信装置，１２…映像表示器，１２ａ…バックライト，１２ｂ…ドライバ回路，１４…スピーカ，１５…操作部，１６…リモートコントローラ，１８…受光部，２１−２４…端子，２５，２６…アンテナ，２７…入力端子，２７ａ…チューナ，２７ｂ…ＰＳＫ復調器，２７ｃ…ＴＳ復号器，２８…入力端子，２８ａ…チューナ，２８ｂ…ＯＦＤＭ復調器，２８ｃ…ＴＳ復号器，２８ｄ…チューナ，２８ｅ…アナログ復調器，３０…コントローラ，３０ｃ…不揮発性メモリ，３１…信号処理部，３２…グラフィック処理部，３３…音声処理部，３４…信号生成部，３５…映像処理部，３７…音声出力端子，３８…映像出力端子
【図１】
2012231424.tif 000003
【図２】
2012231424.tif 000004
【図３】
2012231424.tif 000005
【図４】
2012231424.tif 000006
【図５】
2012231424.tif 000007
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
ユーザを登録するユーザ登録部と，
ユーザを特定するためのユーザ特定情報を入力する入力部と，
前記ユーザ特定情報に基づいて，前記登録されるユーザからユーザを特定し，このユーザに対応する動作モードを設定する動作モード設定部と，
番組を録画または録画予約する録画部と，
前記設定された動作モードに対応するユーザを識別する情報を表す第１のフレームと，前記録画または録画予約される番組を識別する情報を表す第２のフレームと，を関連付けて表すメニューを表示装置に表示させる関連付け部と，
前記第１のフレームを用いて，ユーザを変更することで，ユーザと番組との関連付けを変更する関連付け変更部と，
前記録画または録画予約された番組のリストを前記表示装置に表示させる表示制御部と，
を具備する録画装置。
【請求項２】
前記ユーザ登録部が，複数のユーザを登録し，
前記表示制御部が，
前記ユーザ登録部に登録された複数のユーザそれぞれに対応する複数のボタンと，前記録画または録画予約された番組のリストとを含めて前記表示装置に表示させ，
前記複数のボタンを用いた入力により，前記複数のユーザそれぞれに関連付けられた番組の，複数のリストのいずれかを切り替え可能に表示させる，
請求項１記載の録画装置。
【請求項３】
前記録画または録画予約された番組のリストを表示するときには，前記設定された動作モードと対応するリストを最初に表示する
請求項２記載の録画装置。
【請求項４】
前記表示制御部が，前記設定された動作モードと対応しないユーザに関連付けられた番組のリストの表示を制限する
請求項１乃至３のいずれか１項に記載の録画装置。
【請求項５】
前記設定された動作モードに対応して，音量，画質，チャンネルリストの少なくともいずれかが設定される
請求項１乃至４のいずれか１項に記載の録画装置。
【請求項６】
前記ユーザ特定情報が，ユーザの顔の画像，または文字，記号の組み合わせである
請求項１乃至５のいずれか１項に記載の録画装置。
【請求項７】
ユーザを登録するステップと，
ユーザを特定するためのユーザ特定情報を入力するステップと，
前記ユーザ特定情報に基づいて，前記登録されるユーザからユーザを特定し，このユーザに対応する動作モードを設定するステップと，
前記設定された動作モードに対応するユーザを識別する情報を表す第１のフレームと，前記録画または録画予約される番組を識別する情報を表す第２のフレームと，を関連付けて表すメニューを表示装置に表示させるステップと，
前記第１のフレームを用いて，ユーザを変更することで，ユーザと番組との関連付けを変更するステップと，
前記関連付けが変更された番組を録画または録画予約するステップと，
前記録画または録画予約された番組のリストを前記表示装置に表示させるステップと，
を具備する録画方法。